(57)【要約】  【課題】狙った位置に内容液を正確に滴下可能にする滴下式液吐出ヘッドを提供する。  【解決手段】吐出ヘッドはスパウト１０として構成され、ノズル１７を備えてエアゾール容器１の上端部に装着されることにより、ノズル１７を斜め下向きに傾倒させた状態で吐出操作を行うことにより、ノズル１７に沿って吐出された内容液をノズル先端の球形状の滴下部１９から滴下させる。この滴下部は、吐出操作時に底面側に位置設定されるノズル１７の先端縁領域に設けられると共に、ノズル先端縁領域１６ａよりも部分的に先方へ位置し、かつノズル内周壁よりも側方に形成されている。  【選択図】図１
2006027658.tif 000002
【特許請求の範囲】
【請求項１】
ノズルを備えて容器上端部に装着されることにより、ノズルを斜め下向きに傾倒させた状態で吐出操作を行うことにより、ノズルに沿って吐出された内容液をノズル先端から滴下させるようになった滴下式液吐出ヘッドにおいて、
吐出操作時に底面側に位置設定されるノズル先端縁領域に、このノズル先端縁領域よりも部分的に先方へ位置し、かつノズル内周壁よりも側方に向けて球形状に膨出した滴下部が形成されたことを特徴とする滴下式液吐出ヘッド。
【請求項２】
球形状の直径が２乃至５ｍｍであることを特徴とする請求項１記載の滴下式液吐出ヘッド。
【請求項３】
ノズル先端縁が、滴下部が形成されるノズル先端縁領域に対向するノズル先端縁領域に向けて徐々にノズル基端側へ後退するように斜めに形成されていることを特徴とする請求項１又は請求項２記載の滴下式液吐出ヘッド。
【請求項４】
エアゾ−ル容器のマウンティングカップに装着される筒状基部と、その周辺部にインテグラルヒンジ部で揺動可能に連結され、かつノズル及びこのノズルに対して前記インテグラルヒンジ部と反対側に形成された押下げ操作部を有する可動部とを備えたスパウトとして構成され、
前記ノズルは、基端部で前記マウンティングカップから突出するステムに嵌着し、かつ垂直上方に対して前記インテグラルヒンジ部側に傾斜するように、上向きに形成されていることを特徴とする請求項１乃至請求項３のいずれか記載の滴下式液吐出ヘッド。
【請求項５】
吐出操作を行うための押しボタンを備えると共に、この押しボタンに、ノズルが横向きに突設されていることを特徴とする請求項１乃至請求項３のいずれか記載の滴下式液吐出ヘッド。
【請求項６】
容器が可撓性であり、その圧搾により吐出操作が行われることを特徴とする請求項１乃至請求項３のいずれか記載の滴下式液吐出ヘッド。
【発明の詳細な説明】
【技術分野】
【０００１】
本発明は、ノズルを備えて容器上端部に装着されることにより、ノズルを斜め下向きに傾倒させた状態で吐出操作を行うことにより、ノズルに沿って吐出された内容液をノズル先端から滴下させるようになった滴下式液吐出ヘッドに関するものである。
【背景技術】
【０００２】
このような滴下式液吐出ヘッドとして、特許文献１により少量の内容液を滴下させるために、容器に形成された薄肉の変形可能部と、その押圧操作用の押ボタンとを具備した吐出ヘッドが装着された液吐出容器、特許文献２により圧縮ガスと共に点眼剤を充填した容器本体と、その上端開口部に配置し点眼剤を吐出孔から定量排出し得る定量滴下型バルブと、このバルブに接続して定量の点眼剤を滴下可能なアクチュエータとを備えた点眼剤容器等が周知である。
【特許文献１】特開２００１−１２２３０８号公報
【特許文献２】特開２００３−１９０２５５号公報
【発明の開示】
【発明が解決しようとする課題】
【０００３】
このような従来の吐出ヘッドは、その吐出口から凡そ下方位置を狙って滴下させることができるが、特に滴下位置を正確に設定する配慮はなされていない。一方、図６に示すように、エアゾール容器のマウンティングカップに装着される筒状基部４０と、その周辺部にインテグラルヒンジ部４４により揺動可能にスリット４３を介して連結された基底部４９ａに上向きに突設され、かつ基端部がステムに嵌着されたノズル４５及びその反インテグラルヒンジ部側に位置する押下げ操作部４６を備えた可動部４９とで構成されるスパウトにおいて、吐出操作時に底面側になるノズル先端縁領域を指針状に細片４７を延長して、噴射先を狙えるようにしたのも周知である。しかしながら、このような細片付きノズルを備えたスパウトが、その先端から滴下させる液吐出用スパウトとして構成されたとしても、突出操作時のノズルの姿勢、吐出圧等により滴下位置は微妙に変動する可能性が残される。
【０００４】
本発明は、このような点に鑑みて、狙った滴下位置に内容液を正確に滴下可能にする滴下式液吐出ヘッドを提供することを目的とする。
【課題を解決するための手段】
【０００５】
本発明は、この目的を達成するために、請求項１により、ノズルを備えて容器上端部に装着されることにより、ノズルを斜め下向きに傾倒させた状態で吐出操作を行うことにより、ノズルに沿って吐出された内容液をノズル先端から滴下させるようになった滴下式液吐出ヘッドにおいて、吐出操作時に底面側に位置設定されるノズル先端縁領域に、球形状の滴下部が設けられると共に、この滴下部が、ノズル先端縁領域よりも部分的に先方へ位置し、かつノズル内周壁よりも側方に形成されていることを特徴とする。
【０００６】
ノズルを斜め下向きに傾倒させて滴下部の最下位置を滴下すべき部位の上方へ設定する。吐出操作を行うと、内容液は底面になった側のノズル先端縁領域から滴下部に流出し、その表面に沿って異種２物質間の接触時の付着力、即ち液体及び固体間の濡れにより下方へ流れ、その都度の球形状滴下部の最大直径位置より下側に廻り込んで最下位置領域から滴下する。
【０００７】
その際、狙いを定めて滴下させるのに有効な構成としては、請求項２により球形状の直径が２乃至５ｍｍであり、また請求項３によりノズル先端縁が、滴下部が形成されるノズル先端縁領域に対向するノズル先端縁領域に向けて徐々にノズル基端側へ後退するように斜めに形成される。
【０００８】
滴下式液吐出ヘッドをエアゾ−ル容器のスパウトとして構成するには、請求項４により、エアゾ−ル容器のマウンティングカップに装着される筒状基部と、その周辺部にインテグラルヒンジ部で揺動可能に連結され、かつノズル及びこのノズルに対してインテグラルヒンジ部と反対側に形成された押下げ操作部を有する可動部とを備えたスパウトとして構成され、ノズルは、基端部でマウンティングカップから突出するステムに嵌着し、かつ垂直上方に対してインテグラルヒンジ部側に傾斜するように、上向きに形成される。また、請求項５により、吐出操作を行うための押しボタンを備えると共に、この押しボタンに、ノズルが横向きに突設されていることにより押しボタン式に構成される。さらに、請求項６により、容器が可撓性であり、その圧搾により吐出操作が行われることにより、圧搾式に構成される。
【発明の効果】
【０００９】
請求項１の発明によれば、狙った部位の上方に球形状滴下部の最下位置をセットすることにより、滴下部に流出した内溶液は常時その最下位置領域から滴下される。液吐出ヘッドの姿勢が変化したり或は吐出圧が変動しても滴下部に流入する限り、その都度の最下位置領域から滴下される。したがって、狙った滴下位置への正確な滴下が容易になる。その際、請求項２の発明によれば滴下部が内容液をオーバフローさせることなく、狙いを定め易い大きさになり、請求項３の発明によれば吐出液が確実に滴下部へ流入する。
【００１０】
滴下式液吐出ヘッドは、請求項４によりエアゾール容器のスパウトとして、請求項５により押しボタン式に、或は請求項６により圧搾式に構成される。
【発明を実施するための最良の形態】
【００１１】
図１乃至図３を基に本発明の実施の形態による滴下式液吐出ヘッドであるスパウトを説明する。この滴下式スパウト１０は、内側周面でエアゾール容器１のマウンティングカップ２に装着される筒状基部１１と、その周辺部にインテグラルヒンジ部１５により揺動可能にスリット１５ａを介して連結された基底部１２ａに上向きに突設され、かつ基端部がマウンティングカップ２から突出するステム３に嵌着されたノズル１７及びこのノズルに対してインテグラルヒンジ部１５と反対側に位置するように基底部１２ａにボックス状に形成された押下げ操作部１８を備えた可動部１２とで構成されている。
【００１２】
ノズル１７は、垂直上方に対してインテグラルヒンジ部１５側に約３０°斜めに傾斜していると共に、エアゾール容器１を傾倒させた吐出操作時に底面側となるインテグラルヒンジ部１５側のノズル先端縁領域１６ａには、このノズル先端縁領域よりも部分的に先方へ位置し、かつノズル１７の内周壁１７ａよりも側方に向けて球形状に膨出した直径約４ｍｍの球形状の滴下部１９がつなぎ部１９ａを介して形成されている。尚、滴下部１９の球形状の直径は極端に小さくなると付着力により保液できる液量が僅かになり、逆に大きくなり過ぎると球形状の最下位置の確認がしにくくなるため、２乃至５ｍｍに設定するのが好ましい。
【００１３】
つなぎ部１９ａは、ノズル先端縁領域１６ａから幅約３ｍｍの平坦状に略水平側方へ約２ｍｍ程度連続して突出することにより、滴下部１９に吐出された内溶液を流入させるように一体化されている。また、ノズル先端縁１６は、ノズル先端縁領域１６ａに対して吐出口１７ｂを介して対向するノズル先端縁領域１６ｂに向けて徐々にノズル基端側へ後退するように斜めに形成されて、吐出操作時にノズル１７が下向きに傾倒された状態で、ノズル先端縁領域１６ａに対して残りのノズル先端縁１６が先方位置を占めないようになっている。
【００１４】
エアゾール容器１には、内溶液として例えば水虫用薬液が加圧剤と共に充填されており、操作時には霧状にそのまま先方へ噴射されることなく、液状に内周壁１７ａに沿って吐出口１７ｂから吐出され、かつ球形状の滴下部１９の表面からオーバフローしない流量が確保されるように、ノズル１７の内径も噴射圧を抑制する程度に大きく設定されている。
【００１５】
このように構成された滴下式液吐出ヘッドの動作を図３を参照して説明する。ノズル１７を水平方向に対して３０°程度下向きに傾斜させるようにエアゾール容器１を略水平状態に手で握り、足指９の滴下すべき部位の上方へ滴下部１９の最下位置領域１９ａをセットして人差指で操作部１８を押下げ操作すると、所定流量の薬液がノズル１７の内周壁１７ａに沿ってノズル先端縁領域１６ａから滴下部１９へオーバフローすることなく流出すると共に、その周面に沿って伝搬され、さらに付着力により最大直径位置の下側表面に廻り込み、その都度のノズル１７の姿勢に対応した最下位置領域１９ａから自重により垂直下方へ滴下する。
【００１６】
図４は別の実施の形態による押しボタン式の液吐出ヘッドを示すもので、ポンプを構成するシリンダ２７を容器２９の口部２９ａに装着させるねじキャップ２０と、このねじキャップに昇降可能にガイドされ、ばね付勢に抗して押下げ操作されることにより内蔵の弁を駆動する吐出パイプ２１と、その先端に取付けられ、かつ横向きにノズル２２が突設された押しボタン２３より構成されている。
【００１７】
ノズル２２の底面側のノズル周壁のノズル先端縁領域２２ａには、この領域よりも部分的に先方へ位置し、かつノズル２２の内周壁に球形面の一部が略一致してノズル方向に対して側方に向けて滴下部２６が一体成形により球形状に膨出されている。容器２９には水虫、かゆみ止め等の薬液、保湿液、化粧液等の内容液を充填しておく。  
【００１８】
ノズル２２を下向きに傾斜させるように、容器２９を僅かにノズル２２側へ傾倒させて手で握り、滴下部位の上方へ滴下部２６の最下位置をセットして人差指で押しボタン２３を押下げ操作すると、ポンプ室に応じた所定量の内容液が、ノズル２２の底面側の内周壁に沿ってノズル先端縁領域２２ａから滴下部２６へ流出すると共に、その周面に沿って内容液が伝搬され、その都度の最下位置領域から垂直下方へ滴下する。同様に、狙った滴下位置に内容液を正確に滴下させ得ると共に、化粧液を掌に一旦滴下する場合でも、飛散させないで済む。
【００１９】
図５は別の実施の形態によるトリガ式の液吐出ヘッドを示すもので、内側周面でエアゾ−ル容器３８のマウンティングカップに装着された筒状基部３０と、マウンティングカップから突出するステムに連通する垂直ノズル部３１ａ及びその先端に連続する横向きノズル部３２により逆Ｌ字形に形成されたノズル３１と、筒状基部３０に設けられてピン３５ａを支点として垂直パイプ  部２１を押下げ駆動するトリガ操作レバー３５とを備えている。マウンティングカップの内側にはステムにより作動させられるそれ自体周知の定量式のステムバルブが内蔵されている。
【００２０】
横向きノズル部３２の底面側のノズル先端縁領域３２ａには、このノズル先端縁領域よりも部分的に先方へ位置し、かつノズル２２の内周壁よりも吐出方向に対して側方に位置するように、球形状の滴下部３９がつなぎ部３９ａを介して形成されている。
【００２１】
横向きノズル部３２を下向きに傾斜させるように、容器３８を僅かにノズル２２側へ傾倒させて手で握り、滴下部位の上方へ滴下部３９の最下位置をセットして人差指でトリガ操作レバー３５を引くと、一定量の内容液が、横向きノズル部３２の内周壁に沿って吐出されて滴下部２６へ流出すると共に、その周面に沿って薬液が伝搬され、その都度の最下位置領域から垂直下方へ滴下する。
【００２２】
尚、図４に示す押しボタン式の液吐出ヘッドは、エアゾ−ル容器のステムをノズル付きの押しボタンで作動させるよう変形することもできる。図５に示すトリガ式の液吐出ヘッドは、トリガ操作レバーにより吸出しポンプを作動させるよう変形することもできる。さらに、以上説明した吐出機構としてのポンプ或はステムバルブを作動させる液吐出ヘッドに代えて、本発明による滴下式液吐出ヘッドは、可撓性容器を圧搾して吐出口から滴下部に内容液を吐出させて滴下させるように圧搾式として構成することもできる。
【図面の簡単な説明】
【００２３】
【図１】本発明の実施の形態による滴下式液吐出ヘッドの断面図である。
【図２】同滴下式液吐出ヘッドを示すもので、同図Ａは側面図、同図Ｂは表面図、同図Ｃは平面図である。
【図３】同滴下式液吐出ヘッドの使用状態を説明する側面図である。
【図４】別の実施の形態による滴下式液吐出ヘッドの側面図である。
【図５】さらに別の実施の形態による滴下式液吐出ヘッドの側面図である。
【図６】従来のエアゾール容器のスパウト部分の斜視図である。
【符号の説明】
【００２４】
１０  滴下式スパウト
１７，２２，３１  ノズル
１７ａ，２２ａ，３２ａ  ノズル先端縁領域
１７ｂ  ノズル先端縁
１７ｃ  吐出口
１９，２６，３９  滴下部
２３  押しボタン
３５  トリガ操作レバー
【図１】
2006027658.tif 000003
【図２】
2006027658.tif 000004
【図３】
2006027658.tif 000005
【図４】
2006027658.tif 000006
【図５】
2006027658.tif 000007
【図６】
2006027658.tif 000008